(57)【要約】【課題】屋内外の境界領域に一層の連続性を創出するとともに、該領域を多様な利用態様に関連付けて有機的、機能的に活用しうる建物外壁の開口部構造を提供する。【解決手段】建物外壁の開口部２に、その略上半部を遮蔽する上側遮蔽体５と、略下半部を遮蔽する下側遮蔽体６とを、個々に独立して開閉操作しうるように設ける。上側遮蔽体５は、その上辺部近傍を支軸として屋外側へ跳ね上げ可能に保持される。下側遮蔽体６は、折曲自在に連結された複数個のスラット６１が開口部の両側に設けられた案内レール６３に沿って昇降するとともに、屋外側へと滑り出して略水平の座面を形成しうるように構成される。【選択図】図１
2010007261.tif 000002
【特許請求の範囲】
【請求項１】
建物外壁の開口部に、この開口部の略上半部を遮蔽する上側遮蔽体と、この開口部の略下半部を遮蔽する下側遮蔽体とが、個々に独立して開閉操作しうるように設けられ、
前記上側遮蔽体は、その上辺部近傍を支軸として下辺部を屋外側へ跳ね上げることにより前記開口部の略上半部を開放しうるように構成される一方、
前記下側遮蔽体は、折曲自在に連結された複数個のスラットが、前記開口部の両側に設けられた案内レールに沿って昇降することにより前記開口部の略下半部を開閉するとともに、前記開口部の下端近傍から屋外側へと滑り出して略水平の座面を形成しうるように構成されたことを特徴とする建物外壁の開口部構造。
【請求項２】
請求項１に記載の建物外壁の開口部構造において、
下側遮蔽体は、その一部のみを屋外側に滑り出させた状態でも固定可能となされたことを特徴とする建物外壁の開口部構造。
【請求項３】
請求項１又は２に記載の建物外壁の開口部構造において、
下側遮蔽体の内側面に、複数個の束部材が回動自在にヒンジ連結され、前記束部材は、下側遮蔽体が上下方向に昇降する際にはその内側面に沿って自重により垂下し、下側遮蔽体が屋外側へ滑り出した際には自重により直立して該下側遮蔽体を屋外の地盤面上に支承するように構成されたことを特徴とする建物外壁の開口部構造。
【発明の詳細な説明】
【技術分野】
【０００１】
本発明は、建物外壁に設けられる開口部構造に関し、より詳細には、建物の外部空間と内部空間との境界領域を様々な態様に活用しうる機能を備えた開口部構造に関する。
【背景技術】
【０００２】
建物の壁体に設けられる窓や出入口など、外部空間と内部空間とを区切る開口部には、シャッターや雨戸が取り付けられることが多い。シャッターや雨戸を閉じることにより、光や騒音、風雨などが遮断されて内部空間が安静・快適に保たれるとともに、不審者の侵入も阻止されて防犯性が向上する。
【０００３】
ただし、従来一般のシャッターや雨戸は、外部空間と内部空間との境界領域を、あくまでも一本の境界線上で立面的に開閉するだけのものに過ぎない。外部空間と内部空間との境界領域は、例えば光や風などの自然要素を適度に体感し得る、一定の拡がりを持った半外半内の開放的な空間として、様々な態様で活用される可能性を有している。そのような空間利用を実現し得る開口部の構造としては、例えば、特許文献１に開示されたオーニングシャッターや、特許文献２に開示された蔀戸（しとみど）のように、開放時には外側に跳ね上げられて庇や日除けとなる遮蔽装置を設けたものが挙げられる。これらの開口部構造によれば、該遮蔽装置を庇状に跳ね上げて開口部を開放したとき、その出寸法の分だけ外部空間と内部空間との間に連続性が生まれ、空間の活用性が拡がる可能性がある。
【特許文献１】特開２００２−１８８３７７号公報
【特許文献２】特開２００４−１００２９８号公報
【発明の開示】
【発明が解決しようとする課題】
【０００４】
本発明は、上述のような空間利用を、より積極的に実現しようとするものであって、外部空間と内部空間との境界領域に、内外方向の一層の連続性を創出するとともに、該境界領域を多様な利用態様に関連付けて、より有機的に、あるいは機能的に活用することのできる建物外壁の開口部構造を提供することを目的としている。
【課題を解決するための手段】
【０００５】
前記した目的を達成するため、本発明の建物外壁の開口部構造は、建物外壁の開口部に、この開口部の略上半部を遮蔽する上側遮蔽体と、この開口部の略下半部を遮蔽する下側遮蔽体とが、個々に独立して開閉操作しうるように設けられ、前記上側遮蔽体は、その上辺部近傍を支軸として下辺部を屋外側へ跳ね上げることにより前記開口部の略上半部を開放しうるように構成される一方、前記下側遮蔽体は、折曲自在に連結された複数個のスラットが、前記開口部の両側に設けられた案内レールに沿って昇降することにより前記開口部の略下半部を開閉するとともに、前記スラットの連結体が前記開口部の下端近傍から屋外側へと滑り出して略水平の座面を形成しうるように構成されたことを特徴とする。
【０００６】
この発明における上側遮蔽体は、開口部の略上半部（目安として、開口高さにおける概ね上側１／３〜１／２の範囲）を開閉するための部材である。上側遮蔽体は、基本的には、前記の特許文献に開示されたオーニングシャッターや蔀戸に準じる構成を有しており、屋外側に跳ね上げられて庇状に保持されることにより、日除けや雨除けとしての機能を奏する。
【０００７】
一方、下側遮蔽体は、開口部の略下半部（目安として、開口高さにおける概ね下側１／２〜２／３の範囲）を開閉するための部材である。下側遮蔽体は、複数個のスラットからなる連結体を昇降させることによってシャッター状に開閉する。さらに、その連結体が、開口部の下端近傍から屋外側へと滑り出すことにより、濡れ縁のような略水平の座面を形成しうるように構成される。
【０００８】
このように、上下別々に開閉操作可能な遮蔽体が、それぞれ屋外側に跳ね上がり、又は滑り出すことにより、それらの出寸法の分だけ該開口部から外部空間への連続性が生まれる。そして、それら上下の遮蔽体の開閉状態を組み合わせることにより、開口部周りの空間を多様な利用態様に関連付けて、より有機的に、また機能的に活用することができる。
【０００９】
上記発明においては、下側遮蔽体が、その一部のみを屋外側に滑り出させた状態でも固定可能となされてもよい。これによれば、下側遮蔽体の一部だけを部分的に屋外側に滑り出せた状態でも利用可能となるので、使い勝手が一層、向上する。
【００１０】
さらに、上記発明においては、下側遮蔽体の内側面に、複数個の束部材が回動自在にヒンジ連結され、前記束部材は、下側遮蔽体が上下方向に昇降する際にはその内側面に沿って自重により垂下し、下側遮蔽体が屋外側へ滑り出した際には自重により直立して該下側遮蔽体を屋外の地盤面上に支承するように構成することもできる。
【００１１】
この発明によれば、屋外側に滑り出させた下側遮蔽体を、それ自体に取り付けた束部材を介して、屋外の地盤面上に水平に保持することができるので、下側遮蔽体を水平に保持するための構造が簡素化されるとともに、出し入れに際しての操作性も向上する。
【発明の効果】
【００１２】
上述のように構成される本発明の建物外壁の開口部構造は、開口部に設けられる上側及び下側の各遮蔽体が、上下別々の開閉操作によって、それぞれ屋外側に跳ね上がり、又は滑り出すように構成されるので、開口部には、それら遮蔽体の出寸法に応じて内外方向に連続する空間的な拡がりが創出される。そして、それら上下の遮蔽体の開閉状態を組み合わせることにより、開口部周りの空間を多様な利用態様に関連付けて、より有機的に、また機能的に活用することが可能になる。
【発明を実施するための最良の形態】
【００１３】
以下、本発明の実施の形態について図を参照して説明する。
【００１４】
図１は本発明の実施形態に係る開口部構造の全体的構成と展開パターンを示す斜視図である。また、図２は前記開口部構造における遮蔽体を屋外側及び屋内側から見た概略立面図であり、図３は同遮蔽体の概略縦断面図である。
【００１５】
例示の実施形態は、建物の１階外壁に設けた開口部２についてのものである。この開口部２は、その下端縁が屋内の床面３と略同レベルに設けられた掃き出し窓状のもので、開口面内には引き違い式のガラス障子を嵌め込んだサッシ４が設置されている。そして、そのサッシ４の屋外側に、シャッター状の外観を有する遮蔽装置が取り付けられている。遮蔽装置は、開口部２の略上半部を遮蔽する上側遮蔽体５と、この開口部２の略下半部を遮蔽する下側遮蔽体６とによって構成される。
【００１６】
上側遮蔽体５は、例えば、適宜の枠内に細長い羽目板状の部材を複数枚、並べて嵌め込むなどして略平板状に形成された部材であり、その上辺部が建物外壁に設置された適宜の支軸に取り付けられ、下辺部が屋外側へ跳ね上がるように保持される。開閉操作は、例えば、下辺部から支軸にかけて巻き回したワイヤー７或いはロープ、チェーン等を、適宜の巻き取り操作具８等を介して巻き取り又は繰り出すことにより行われる。この操作により、上側遮蔽体５は、略水平の庇状になる位置まで跳ね上がり、また、跳ね上げ途中の斜めの姿勢でも固定可能となる。
【００１７】
なお、上側遮蔽体５の構造については、これに限らず、例えば単純な平板状の構造を有するものや、２、３箇所で折れ曲がることにより開口部２を開放するようなもの、或いは、ブラインドのようにスラットの角度を変えて採光を調整しうるようなものなどを、目的や好みに応じて採用することができる。跳ね上げのための機構についても、ワイヤー７等を巻き取るものに変えて、例えば棒状の部材で下側から突っ張って支える機構などを利用することができる。また、上側遮蔽体５が、庇状に持ち上げられた状態からさらに外方へ迫り出すような構造を備えていてもよい。
【００１８】
一方、下側遮蔽体６は、細長いスラット６１を複数個、適宜のヒンジ部材や連結片６２等を介して折曲自在に連結してなるシャッター状の部材である。連結された複数個のスラット６１からなる連結体は、開口部２の両側部に設けられた縦方向の案内レール６３に沿って昇降するとともに、任意の位置で停止させることができる。これにより、開口部２の略下半部が、その間口一杯にわたって上下方向に開閉される。なお、スラット６１の断面構造やヒンジ部材、連結片等の詳細な形状は、本発明においては特に限定しない。
【００１９】
案内レール６３の下端部近傍は屋外側に向かって折曲しており、スラット６１の連結体は、その折曲部分に沿って、開口部２の下端近傍から屋外側へと向きを変えて滑り出すように保持される。そして、屋外側に滑り出した部分が、濡れ縁のような略水平の座面を形成する。
【００２０】
この座面を水平状態で支承するのは、スラット６１の連結体の裏面（屋内側の面）に取り付けられた複数個の束部材９である。束部材９は長さの揃った略棒状の部材であり、例示形態では、下側遮蔽体６の滑り出し方向（上下方向）に沿って４列に配置されている。束部材９の上端近傍は下側遮蔽体６に対し回動自在にヒンジ連結され、常に自重によって垂下する。そのため、下側遮蔽体６が上下方向に昇降する際には、下側遮蔽体６の内側面に沿う姿勢に保持され、また、下側遮蔽体６が屋外側へ滑り出した状態では、束部材９が屋外の地盤面上に直立して接地し、下側遮蔽体６の荷重を支承する。
【００２１】
上述した上側遮蔽体５と下側遮蔽体６とは、個々に独立して開閉操作することができる。各遮蔽体の開閉パターンを組み合わせた利用例を図１に示す。
【００２２】
図１中の（ａ）は、上側遮蔽体５及び下側遮蔽体６の両方を閉じた状態である。この状態から、（ｂ）のように上側遮蔽体５だけを跳ね上げて開放すると、腰窓ないしは高窓と同様の視覚的開放感や通風が得られる。庇状に張り出した上側遮蔽体５は、直射日光や天空光をほどよく遮って採光を柔和にする。この状態では屋内外の出入りが妨げられるので、例えば屋内に幼児や室内飼いのペットがいる場合でも、それらが外に出てしまう心配をせずに、屋外の雰囲気を屋内に取り込むことができる。
【００２３】
（ａ）の状態から下側遮蔽体６だけを途中まで降ろすと（ｃ）の状態となり、いわゆる肘掛け窓と同様の視覚的開放感や通風を得ることができる。これは、ちょうど屋内の床面３に直接、座ったり寝ころんだりした姿勢で屋外を眺めるのに好適な開放状態である。ただし、開口部２の上半部は閉じているので、これが目隠しとなって屋内側のプライバシーも適度に保たれる。
【００２４】
（ｃ）の状態から、さらに下側遮蔽体６を一杯まで降ろして屋外側に滑り出させると、（ｄ）の状態になる。この状態では、開口面積が一層、拡大して、大きめの地窓と同程度の視覚的開放感や通風が得られる。屋外側に展開された下側遮蔽体６は、屋内の床面３と同じか、やや低いレベルで連続するので、屋内空間には水平方向への拡がり感や奥行き感が十分に付与される。屋外側に展開された下側遮蔽体６の上に植物の鉢植えや装飾物等を並べて屋内側から鑑賞することも可能になる。
【００２５】
また、（ｃ）の状態から上側遮蔽体５を開放するか、あるいは（ｂ）の状態から下側遮蔽体６を途中まで降ろすことによって、（ｅ）の状態になる。この状態では、屋外に展開された下側遮蔽体６が、屋内側から自由に出入りすることのできる座面を構成する。この座面上に出れば、屋外の風や音などを十分に体感することができる。庇状に跳ね上げられた上側遮蔽体５は、直射日光や天空光をほどよく遮って採光を柔和にする。雨も、小雨程度であれば上側遮蔽体５によって遮られるので、いわゆる濡れ縁と同じような使い勝手が生まれる。
【００２６】
（ｅ）の状態では、下側遮蔽体６が、その上部を開口面内に少し立ち上げた状態で残されている。したがって、屋内外の出入りに際しては、その立ち上がり部分を跨ぐ必要がある。しかし、この立ち上がり部分は、屋外側に展開された座面上で横になって寛ぐ際には、図示のように具合のよい背もたれとなり、ソファやハンモックのような感覚での空間利用を可能にする。
【００２７】
（ｅ）の状態から、さらに下側遮蔽体６を一杯まで降ろして屋外側に滑り出させると、（ｆ）の状態になる。この状態では、下側遮蔽体６によって構成される座面と屋内の床面３とが同じか、屋外側がやや低くなるレベルで連続し、出入りも容易になる。内外空間の一体感や開放感は最も大きくなり、屋外側の座面は、休息、寛ぎ、飲食、団欒、物干しなど、多種多様な態様に利用可能になる。
【００２８】
このように、本発明の建物外壁の開口部構造は、開口部２に設ける上下の遮蔽体５、６を比較的簡素な構造としながらも、それらを別々に操作して開閉状態を組み合わせることにより、屋内外の境界領域となる空間に多彩な雰囲気や表情を演出する。利用者は、この空間を自身の生活様式に関連付けて様々な態様で利用し、楽しむことができる。また、庭が狭い場合でも、下側遮蔽体６の開閉によって庭の雰囲気を変化させ、多目的に活用することができる。
【００２９】
下側遮蔽体６の開閉については、束部材９が自重で垂下して屋外側の地盤面上に直立する構成を採用しているので、開口部２の屋外側に大がかりな構造物を設けずとも、濡れ縁状の座面を簡単に形成することができる。各遮蔽体５、６の開閉や束部材９の動作には、電気その他の人工的な動力を必要としないので、この開口部構造は経済性にもきわめて優れている。
【図面の簡単な説明】
【００３０】
【図１】本発明の実施形態に係る開口部構造の全体的構成と展開パターンを示す斜視図である。
【図２】図１の実施形態に係る遮蔽体の概略立面図であって、略左半分は屋外側、略右半分は屋内側から見た立面形状を示す。
【図３】同遮蔽体の概略縦断面図である。
【符号の説明】
【００３１】
５  開口部
５  上側遮蔽体
６  下側遮蔽体
６１  スラット
６３  案内レール
９  束部材
【図１】
2010007261.tif 000003
【図２】
2010007261.tif 000004
【図３】
2010007261.tif 000005